(57)【要約】      （修正有）【課題】鉄骨構造物費用の２／１０とも言われる大梁接合部の鋼材と高張力ボルト使用それに係わる作業と不足している高度溶接技術者、超音波溶接検査の省力化を行う。【解決手段】構造物の壁面を全て鉄板で一定の巾に折曲げて長さに応じて付け加えて各階高さまでの通り壁を１枚のパネルにし現場で組み込む、各階の床面も搬送可能な巾パネルにして組み込む。【選択図】図２
2013142285.tif 000002
【特許請求の範囲】
▲１▼壁面を全て鉄板で構成し構造物の荷重を柱を兼ねた壁面にかける鉄骨壁荷重構造物。
▲２▼壁面の鉄板をＭ形に折り曲げ上下端部に平鋼または形鋼を介して溶接し１枚のパネルとする。
▲３▼各々の壁面通りを各階まで１枚のパネルに構成し現場で組み込む、但し運送、建方等不都合の場合は数枚とする。
▲４▼Ｍ形に折り曲げた鉄板は所定の巾にして長さにおうじてつけかえていく。
【発明の詳細な説明】
【考案の詳細な説明】
【産業上の利用分野】
【０００１】  この考案は鉄骨建築構造物で壁全体を折り曲げた鉄板で構成し内部に突出した柱形を出さずに構造物全体の荷重を壁にかける鉄骨壁荷重構造物に関するものである。
【背景技術】
【０００２】  従来の鉄骨構造物は一般に摩擦接合構造と筋交い構造の２通りの構造で行われている。
【考案が解決しようとする課題】
【０００３】  従来の鉄骨構造物では次の欠点がある。
摩擦接合構造では、地震、風圧等の揺れを防止するために使用部材が大きく柱と梁等の接合部溶接部分の加工に多くの時間と労力、高度の溶接技術者また溶接部分の超音波検査が必要とされる。梁の接合部に大量の高張力ボルトの使用と締め付け作業があり足場等の仮設材も多く使用するため鉄骨構造物工事費の高騰の一因でもあった。
鉄骨筋交い構造物では、窓、出入り口等の開口部に筋交いが出てくる場合があり使用しづらく見苦しく開口部が自由に選択出来ない。また、震災後建築基準法が改正され鉄骨構造物は多くの鋼材を必要とし工事費高騰となっている。本考案はこれらの欠点を除くために考案したものである。
【問題を解決する手段】
【０００４】  その結果、構造物の揺れを防止するために壁面全て鉄板で構成することで横揺れを防止出来、上からの荷重に対して壁面の鉄板全てをＭ形等に折曲げし上下端部に平鋼または形鋼を介して溶接し構造物の長さに応じて付け加えて１枚のパネルに仕上げる事で可能となった。
【作用】
【０００５】  壁パネルを組み込むことに依り構造物全体の歪みが生じる事がなく組上がり直に内外部仕上げ工事に着手出来、工期短縮が可能となる。
【実施例】
【０００６】  主材鉄板パネル５（図２参照）はＭ形に折曲げ加工しその上下端部に平鋼３、４（図１参照）または形鋼を介して溶接する。鉄板パネルは所定の巾（上からの荷重に耐えられる厚み、巾、寸法）に折曲げし構造物の長さに応じて付け加えて行く、また鉄板をＣ形、角波形に曲げても可能である。
平鋼２、３、４は接合部には穴を設けて組み込む（図１参照）下地平鋼２と鉄板パネル上部平鋼４は各階の床パネル受材も兼ねる。各々壁面鉄板パネルの高さは各階梁下までを原則とし各々壁面鉄板パネルの通りを１枚で構成する、但し特別長いものや運送、建込み等に困難なものは数枚とする。
出隅入隅接合部は鉄板パネルの側部に出形鋼を介して各々部材に穴を設けてボルトで締付ける（図３、図４参照）床面パネルは各々壁パネルまでを搬送可能な巾にし、対角線状に丸鋼、または平鋼の筋交いを入れ各々接合部に穴を設けて現場で、組込みボルトで締付ける。
【考案の効果】
【０００７】  壁面全て鉄板で構成する事により構造物が地震、台風等に依る外圧に耐え得る事が出来気密性も高く冷暖房効果も良い構造物空間が出来る。従来の鉄骨構造物と比較しても鋼材量は大差なく加工時間の短縮、高度の溶接技術者、超音波の溶接部検査が不要となり量産が可能となる。
【図１】
2013142285.tif 000003
【図２】
2013142285.tif 000004
【図３】
2013142285.tif 000005
【図４】
2013142285.tif 000006
【手続補正書】
【提出日】平成24年3月22日(2012.3.22)
【手続補正１】
【補正対象書類名】明細書
【補正対象項目名】全文
【補正方法】変更
【補正の内容】
【発明の詳細な説明】
【産業上の利用分野】
【０００１】  この発明は鉄骨建築構造物で壁全体を折り曲げた鉄板で構成し内部に突出した柱形を出さずに構造物全体の荷重を壁にかける鉄骨壁荷重構造物に関するものである。
【背景技術】
【０００２】  従来の鉄骨構造物は一般に摩擦接合構造と筋交い構造の２通りの構造で行われている。
【発明が解決しようとする課題】
【０００３】  従来の鉄骨構造物では次の欠点がある。
摩擦接合構造では、地震、風圧等の揺れを防止するために使用部材が大きく柱と梁等の接合部溶接部分の加工に多くの時間と労力、高度の溶接技術者また溶接部分の超音波検査が必要とされる。梁の接合部に大量の高張力ボルトの使用と締め付け作業があり足場等の仮設材も多く使用するため鉄骨構造物工事費の高騰の一因でもあった。
鉄骨筋交い構造物では、窓、出入り口等の開口部に筋交いが出てくる場合があり使用しづらく見苦しく開口部が自由に選択出来ない。また、震災後建築基準法が改正され鉄骨構造物は多くの鋼材を必要とし工事費高騰となっている。本発明はこれらの欠点を除くために発明したものである。
【問題を解決する手段】
【０００４】  その結果、構造物の揺れを防止するために壁面全て鉄板で構成することで横揺れを防止出来、上からの荷重に対して壁面の鉄板全てをＭ形等に折曲げし上下端部に平鋼または形鋼を介して溶接し構造物の長さに応じて付け加えて１枚のパネルに仕上げる事で可能となった。
【作用】
【０００５】  壁パネルを組み込むことに依り構造物全体の歪みが生じる事がなく組上がり直に内外部仕上げ工事に着手出来、工期短縮が可能となる。
【実施例】
【０００６】  主材鉄板パネル５（図２参照）はＭ形に折曲げ加工しその上下端部に平鋼３、４（図１参照）または形鋼を介して溶接する。鉄板パネルは所定の巾（上からの荷重に耐えられる厚み、巾、寸法）に折曲げし構造物の長さに応じて付け加えて行く、また鉄板をＣ形、角波形に曲げても可能である。
平鋼２、３、４は接合部には穴を設けて組み込む（図１参照）下地平鋼２と鉄板パネル上部平鋼４は各階の床パネル受材も兼ねる。各々壁面鉄板パネルの高さは各階梁下までを原則とし各々壁面鉄板パネルの通りを１枚で構成する、但し特別長いものや運送、建込み等に困難なものは数枚とする。
出隅入隅接合部は鉄板パネルの側部に出形鋼を介して各々部材に穴を設けてボルトで締付ける（図３、図４参照）床面パネルは各々壁パネルまでを搬送可能な巾にし、対角線状に丸鋼、または平鋼の筋交いを入れ各々接合部に穴を設けて現場で、組込みボルトで締付ける。
【発明の効果】
【０００７】  壁面全て鉄板で構成する事により構造物が地震、台風等に依る外圧に耐え得る事が出来気密性も高く冷暖房効果も良い構造物空間が出来る。従来の鉄骨構造物と比較しても鋼材量は大差なく加工時間の短縮、高度の溶接技術者、超音波の溶接部検査が不要となり量産が可能となる。
【図面の簡単な説明】
【０００８】
【図１】  側面図
【図２】  Ａ−Ａ’断面図
【図３】  出隅接合部断面図
【図４】  入隅接合部断面図
【符号の説明】
【０００９】▲１▼基礎フレーム
▲２▼基礎フレーム平鋼
▲３▼鉄板パネル下平鋼
▲４▼鉄板パネル上平鋼
▲５▼鉄板パネル本体
▲６▼各階床パネル
【手続補正２】
【補正対象書類名】図面
【補正対象項目名】全図
【補正方法】変更
【補正の内容】
【図１】
2013142285.tif 000007
【図２】
2013142285.tif 000008
【図３】
2013142285.tif 000009
【図４】
2013142285.tif 000010
【手続補正３】
【補正対象書類名】特許請求の範囲
【補正対象項目名】全文
【補正方法】変更
【補正の内容】
【特許請求の範囲】
【請求項１】
壁面を全て鉄板で構成し構造物の荷重を柱を兼ねた壁面にかける鉄骨壁荷重構造物。
【請求項２】
壁面の鉄板をＭ形に折り曲げ上下端部に平鋼または形鋼を介して溶接し１枚のパネルとする。
【請求項３】
各々の壁面通りを各階まで１枚のパネルに構成し現場で組み込む、但し運送、建方等不都合の場合は数枚とする。
【請求項４】
Ｍ形に折り曲げた鉄板は所定の巾にして長さにおうじてつけかえていく。